(57)【特許請求の範囲】
【請求項１】
浴室の天井に設置される浴室衣類乾燥装置において、
前記浴室内の空気を吸引し、該空気を加熱して前記浴室内へ戻す温風循環装置と、
前記浴室の天井に設けられた開口部内に配設され、前記開口部の周縁に前記浴室内から当接するフランジ部が形成されたケーシングを有し、前記開口部から前記浴室内の空気を吸引し屋外へ排出する換気扇と、を備え、
前記温風循環装置は、前記浴室内から空気を吸引し前記浴室内へ空気を吹き出す循環用送風機と、前記循環用送風機が吹き出す空気を加熱するヒーターと、前記循環用送風機及びヒーターが固定されるベース板とを有し、
前記ベース板は、前記開口部を開放させた状態で前記浴室内から前記フランジ部に対し固定され、前記循環用送風機及びヒーターが前記浴室内に位置するよう固定することを特徴とする浴室衣類乾燥装置。
【請求項２】
前記換気扇及び前記温風循環装置が、いずれも前記フランジ部に挿通される共通のビスにて前記浴室の天井に対し固定されることを特徴とする請求項１記載の浴室衣類乾燥装置。
【請求項３】
前記ベース板を前記浴室内から覆い前記ベース板に固定される外郭体を有し、前記外郭体が前記ベース板に対し垂直方向の固定位置を調節可能に構成されたことを特徴とする請求項１又は２記載の浴室衣類乾燥装置。
【発明の詳細な説明】
【０００１】
【発明の属する技術分野】
本発明は、浴室内の既設の換気扇に、温風循環装置を後付け可能又は独立して取付けることにより、浴室内の換気、暖房、乾燥等を行う浴室衣類乾燥装置に関する。
【０００２】
【従来の技術】
従来、浴室衣類乾燥装置を設置するには、浴室の天井等に開口を新たに設け、その開口を通して天井裏に本体を取付けるようにしていた。
【０００３】
また、既に換気扇が設置されている現場においては、温風循環装置のみを設置するようにしていた。
【０００４】
【発明が解決しようとする課題】
しかしながら、上記従来の構成では、前者の場合、浴室の天井に開口を新設する必要があり、また、ダクトの配管や配線工事をしなければならず、設置工事が大掛かりで大変な時間を要していた。
【０００５】
また、後者の場合では、既設の換気扇の換気風量が新設の温風循環装置の動作に連動されていないので、衣類等の被乾燥物の乾燥効率が悪く、乾燥時間が長くかかるという問題があった。
【０００６】
また、設置現場が賃貸物件の場合、転居後に現場を元どおりに復帰させなければならないので、浴室衣類乾燥装置の設置は不可能であった。
【０００７】
本発明は、上記課題を解決するためになされたもので、その目的は、設置工事の簡略化を図るとともに原状復帰が可能で、且つ乾燥効率の向上を図ることができる浴室衣類乾燥装置を提供することにある。
【０００８】
【課題を解決するための手段及びその作用・効果】
本発明は、浴室の天井に設置される浴室衣類乾燥装置において、浴室内の空気を吸引し、空気を加熱して浴室内へ戻す温風循環装置と、浴室の天井に設けられた開口部内に配設され、開口部の周縁に浴室内から当接するフランジ部が形成されたケーシングを有し、開口部から浴室内の空気を吸引し屋外へ排出する換気扇と、を備え、温風循環装置は、浴室内から空気を吸引し浴室内へ空気を吹き出す循環用送風機と、循環用送風機が吹き出す空気を加熱するヒーターと、循環用送風機及びヒーターが固定されるベース板とを有し、ベース板は、開口部を開放させた状態で浴室内からフランジ部に対し固定され、循環用送風機及びヒーターが浴室内に位置するよう固定することを特徴としている。
【０００９】
この構成によれば、既に天井の開口部に換気扇が設けられている浴室に温風循環装置を設置する際に、別個の開口を浴室の天井に設ける必要がなく、温風循環装置を取り外した後の原状復帰も容易となる。また、既設の換気扇の換気機能を阻害することもない。
【００１０】
また、換気扇及び温風循環装置を、いずれもフランジ部に挿通される共通のビスにて浴室の天井に対し固定すれば、既に天井の開口部に換気扇が設けられている浴室に温風循環装置を設置する際に、別個のビスを挿通させる穴を天井に開ける必要が無く、施工が容易となるとともに、温風循環装置を取り外した後の原状復帰も容易となる。
【００１１】
また、ベース板を浴室内から覆いベース板に固定される外郭体を有し、外郭体がベース板に対し垂直方向の固定位置を調節可能に構成することで、フランジ部の厚みが異なる換気扇であっても、外郭体の固定位置を調節することで、天井と外郭体との間に隙間を生じさせることなく取り付けることが可能となる。
【００６２】
【発明の実施の形態】
以下に、本発明の実施の形態を添付図面に基づいて詳細に説明する。図１は、本発明の一実施形態に係る浴室衣類乾燥装置の設置例を示す全体構成図であり、図２は、本発明の一実施形態に係る浴室衣類乾燥装置の断面図、図３は、図２のＸ−Ｘ線断面図である。
【００６３】
図１に示すように、浴室衣類乾燥装置Ａは、浴室Ｂの天井５０に取付けられている既設の換気扇Ｃと、天井５０を一部切り欠きして示すように、浴室Ｂ内側から換気扇Ｃとともに天井５０に取付けられる温風循環装置Ｄとから構成されている。
【００６４】
既設の換気扇Ｃは、浴室Ｂと脱衣所Ｅとトイレ（図示せず）の３室を換気するタイプのものであり、脱衣所Ｅに設けられている既設の操作スイッチ６０の操作により、または、トイレ側に設けられているトイレ用の既設の操作スイッチ７０の操作により換気運転されるとともに、後述するように、各既設の操作スイッチ６０、７０の操作により温風循環装置Ｄを運転するように構成されている。
【００６５】
また、天井５０裏には、既設の換気扇Ｃと温風循環装置Ｄに給電するためのジョイントボックス６１を設けて、このジョイントボックス６１に、既設の換気扇Ｃに接続されていた分電盤（図示せず）からの電源線６２を結線するとともに、脱衣所Ｅの操作スイッチ６０からの電線６２ａとトイレ用の操作スイッチ７０からの電線６２ｂをジョイントボックス６１に結線している。
【００６６】
そして、ジョイントボックス６１から新たな電線６３、６４を既設の換気扇Ｃと温風循環装置Ｄに接続している。
【００６７】
尚、５１は各浴室Ｂ、脱衣所Ｅ、トイレ内の空気を屋外に排出するための排気ダクト、５２は脱衣所Ｅ内に臨んで設けられた空気吸込口（図示せず）に接続して換気扇Ｃに連絡された吸引ダクト、５３はトイレ内に臨んで設けられた空気吸込口（図示せず）に接続して換気扇Ｃに連絡された吸引ダクト、６２ｃは脱衣所Ｅの操作スイッチ６０からトイレ用の操作スイッチ７０に配線された電線、Ｆは浴室Ｂ内に吊るされた衣類である。
【００６８】
図２に示すように、既設の換気扇Ｃは、本体ケース１内に備えた羽根車３と、羽根車３を回転駆動する換気用モーター２と、本体ケース１の一側面に設けた吸引口４と、他側面に設けた排気口５とから構成されており、吸引口４には、前述した吸引ダクト５２が、排気口５には排気ダクト５１が、また、図示していないが、もう一方の他側面に設けた吸引口には吸引ダクト５３が、各々接続されるようになっている。
【００６９】
一方、温風循環装置Ｄは、図２及び図３に示すように、本体ケース１５内に備えた循環用送風機用ケーシング１２と、このケーシング１２に内蔵した羽根車１１と、羽根車１１を回転駆動する循環用モーター１０と、ケーシング１２の吹出風路１８に配設した加熱手段としてのヒーター１７と、ヒーター１７の下流側の空気の吹出口２０に設けた空気の吹出方向を調節する風向案内板１６と、浴室Ｂ内の吸い込んだ空気を既設の換気扇Ｃの本体ケース１内に連通させる吸込風路９と、この吸込風路９を遮蔽する遮蔽手段としてのダンパー１３と、既設の換気扇Ｃに取付けるための取付基板８と、ダンパー１３や各モーター２、１０、ヒーター１７等を制御する制御装置３０とから構成されている。
【００７０】
尚、８ａは、浴室Ｂ内の吸い込んだ空気を既設の換気扇Ｃの本体ケース１内に連通させるために取付基板８に設けた開口であり、１２ａは、循環用送風機用ケーシング１２の側板を延出させた延出部で、その延出部１２ａに、取付基板８に設けた開口８ａと同様の目的で開口１２ｂを設けている。
【００７１】
以上の構成において、既設の換気扇Ｃへの温風循環装置Ｄの取付方法について、以下に詳述する。
【００７２】
既設の換気扇Ｃへの温風循環装置Ｄの取付けは、まず、既設の換気扇Ｃに取付けられている化粧板（図示せず）を取り外して、本体ケース１に一体形成されているフランジ部１ａが、浴室Ｂ側から天井５０と補強のための補強木７に対して固定されている固定部材としてのビス６等の１個所を取り外し、取り外した後のビス６穴を利用して、温風循環装置Ｄの取付基板８をフランジ部１ａ、天井５０、補強木７とともに、ビス６により、仮固定する。
【００７３】
このようにして、順次、ビス６を取り外しながら取付基板８を仮固定していき、
仮固定が全部終了した時点で、本固定を行い、取付基板８に対して温風循環装置Ｄの本体ケース１５を取付けて、既設の換気扇Ｃへの温風循環装置Ｄの取付けが完了する。
【００７４】
このように、温風循環装置Ｄを既設の換気扇Ｃに対して取付けることにより、既設の換気扇Ｃを天井５０から取り外すことなく、既設の換気扇Ｃに温風循環装置Ｄを容易に、且つ、楽に取付けることができ、また、既設の換気扇Ｃの固定のためのビス６を取り外した後のビス６穴及びビス６を利用して温風循環装置Ｄを取付けるので、別途に固定のための固定具を用意する必要がなく、部品点数を削減することができる。
【００７５】
また、温風循環装置Ｄは、吹出口２０の吹出位置変更手段として、既設の換気扇Ｃに対してビス６により着脱自在に取付けられるようになっているので、既設の換気扇Ｃの位置が浴室Ｂ天井５０面のどの位置にあっても、温風循環装置Ｄの設置時に、浴室Ｂ内に吊るされた衣類Ｆの方向に合わせて取付基板８を本体ケース１のフランジ部１ａに対して取付けるようにすれば、温風循環装置Ｄの本体ケース１５の下面部に設けた吹出口２０を吊るされた衣類Ｆに近付けることができるので、衣類Ｆ対して適切に温風を当てることができ、乾燥効率を向上させることができる。
【００７６】
一方、既設の換気扇Ｃと温風循環装置Ｄに給電するための配線は、既設の換気扇Ｃに接続されていた分電盤（図示せず）からの電源線６２、６２及び脱衣所Ｅの操作スイッチ６０からの電線６２ａとトイレ用の操作スイッチ７０からの電線６２ｂを、換気扇Ｃから取り外すとともにジョイントボックス６１に接続し、ジョイントボックス６１から新たな電線６３、６３を既設の換気扇Ｃの換気用モーター２に接続するとともに、ジョイントボックス６１からの新たな電線６４、６４を、本体ケース１のフランジ部１ａに設けられている既設の換気扇Ｃ固定用のビス６取付穴のうち、図３に示すように、固定のために利用されていない取付穴６ａ（現場によっては補強木７の取付方向が違うので、フランジ部１ａに固定のために利用しない取付穴６ａを設けている）と、その取付穴６ａに対応する部分の天井５０及び補強木７にドリル等の穴開け工具により電線６４、６４が挿通する程度に開けた穴（図示せず）とを挿通させて、温風循環装置Ｄの制御装置３０に接続している。
【００７７】
したがって、既設の取付穴６ａを利用して新たな電線６４、６４を温風循環装置Ｄに接続できるので、温風循環装置Ｄへの配線工事が更に容易にできる。
【００７８】
尚、ジョイントボックス６１からの新たな電線６４、６４を挿通するための固定のために利用されていない取付穴６ａを利用せずに、本体ケース１のフランジ部１ａに新たな挿通孔を開けて、電線６４、６４を挿通するようにしてもよく、このように、新たな孔を開けた場合であっても、原状復帰をする時には既設の換気扇Ｃの化粧板に覆われるので、原状復帰が可能である。
【００７９】
また、図４に示すように、吹出位置変更手段として、吹出口２０Ａに形成した係合凸部３２を、本体ケース１５の吹出口２０Ａ収納部３３に形成した被係合凹部３１に係合させるようにして、吹出口２０Ａが本体ケース１５に着脱自在に構成されているので、温風循環装置Ｄの設置後であっても衣類Ｆに対する適切な温風の吹出方向を選択することができ、乾燥効率を向上させることができる。
【００８０】
例えば、図３に示すように、吹出口２０に配設した風向案内板１６は、縦方向に配列しているので、風向案内板１６の向きを調節することによって温風が左右方向に吹き出すが、吊るされた衣類Ｆの位置によって、風向案内板１６が横列になるように吹出口２０Ａを取り外して９０°向きを変えて取付けることにより、今度は温風が前後方向に吹き出すようになり、吊るされた衣類Ｆに対して適切に温風を当てることができる。
【００８１】
また、吹出口２０は、図５に示すように、吹出位置変更手段として、本体ケース１５から引き出して移動自在に構成することもできる。
【００８２】
即ち、本体ケース１５部に収納部３７を形成し、収納部３７の収納段部４０に一方を固定するとともに、他方を吹出口２０Ｂに連設した硬質の塩化ビニールで形成した伸縮自在の可撓部材３６を設けている。
【００８３】
また、吹出口２０Ｂには係合凸部３９を設け、収納部３７には被係合凹部３８を設けて、図５（Ａ）に示すように、通常時は、可撓部材３６を収縮させて被係合凹部３８に係合凸部３９を係合させることにより、吹出口２０Ｂが本体ケース１５表面から手掛用として少し突出するように収納部３７内に収納させている。
【００８４】
このように構成することにより、温風循環装置Ｄを設置した後でも、図５（Ｂ）に示すように、吹出口２０Ｂを収納部３７から引き出して容易に衣類Ｆに近付けることができ、乾燥効率を更に向上させることができる。尚、可撓部材３６としては、伸縮自在、変形自在で、吹出口２０Ｂを移動させた後、その形態を保つことができるものであれば、硬質の塩化ビニールでなくてもよい。
【００８５】
次に、以上の構成における換気風量の制御動作について、以下に詳述する。
【００８６】
温風循環装置Ｄの本体ケース１５内に備えた吸込風路９を遮蔽する遮蔽手段としてのダンパー１３は、吸込風路９の開度を可変する可変手段としての機能も備えており、ダンパー１３によって吸込風路９の開度を可変することにより、既設の換気扇Ｃの運転による換気風量を制御することができる。
【００８７】
即ち、ダンパー１３は、ダンパー１３駆動用のダンパー用モーター２１と、ダンパー用モーター２１に連結した駆動プーリー２２と、駆動プーリー２２に連動する従動プーリー２３、２４と、各プーリー２２、２３、２４にかけられたベルト２５と、ベルト２５に連設したアーム２６と、アーム２６とダンパー１３との間に収縮状態で介装したばね２７と、ばね２７の収縮状態を保つようにアーム２６とダンパー１３に連結した温度ヒューズ２８と、から構成されたダンパー駆動手段Ｇにより駆動されるようになっている。
【００８８】
而して、制御装置３０から換気扇Ｃに対して運転指令が出力されると、換気扇Ｃの換気用モーター２が駆動して羽根車３を回転させ、羽根車３の回転により、温風循環装置Ｄの本体ケース１５の下面部に設けた吸込口１４から浴室Ｂ内の空気を吸い込み、吸い込まれた空気は吸込風路９を通って換気扇Ｃの本体ケース１内へと入り、排気口５から排気ダクト５１を通って屋外に排気される。
【００８９】
また、同時に他室であるトイレ及び脱衣所Ｅ内の空気も吸引ダクト５３、５２を通って換気扇Ｃの本体ケース１内へと入り、排気口５から排気ダクト５１を通って屋外に排気される。
【００９０】
一方、ダンパー駆動手段Ｇが制御装置３０からの制御信号を受けると、ダンパー用モーター２１が駆動して駆動プーリー２２が回転し、駆動プーリー２２の回転に伴ってベルト２５が移動し、ベルト２５の移動に伴ってアーム２６とダンパー１３が上下方向に移動することにより、吸込風路９の開度を小さくしたり、大きくしたりして、換気する風量を小さくしたり、大きくしたりして、瞬間風量を変化させる。
【００９１】
したがって、衣類Ｆの乾燥運転を行う場合は、制御装置３０から温風循環装置Ｄに運転指令を出し、循環用モーター１０が駆動して羽根車１１が回転することで、浴室Ｂ内の空気が本体ケース１５の下面部に設けた吸込口１４からケーシング１２の吹出風路１８を通り、ヒーター１７により加熱されて温風として吹出口２０から浴室Ｂ内に吹き出される。
【００９２】
この時、乾燥運転の乾燥時間の前半は、浴室Ｂ内が干したばかりの衣類Ｆで湿潤状態であるので、ダンパー１３は吸込風路９を全開として換気風量を大きくし、乾燥時間の後半は、浴室Ｂ内の高温空気を排出しないように、ダンパー１３は中間位置に移動させて換気風量を小さくする。尚、乾燥時間の後半において、ダンパー１３は吸込風路９を全閉としてもよく、また、乾燥終了までに徐々に閉じるようにしてもよい。
【００９３】
このように、既設の換気扇Ｃを使用するものでありながら換気風量を制御することができるので、乾燥効率の向上及び乾燥時間の短縮を図ることができる。
【００９４】
また、暖房運転時に、ダンパー１３により吸込風路９を全閉するようにすると、浴室Ｂ内空間を密閉状態にすることができるので、浴室Ｂ内の熱を排気ダクト５１から浴室Ｂ外へ逃がすことがなく、浴室Ｂ内を早く暖めることができる。
【００９５】
また、ダンパー１３の遮断動作は、火災等の熱で温度ヒューズ２８が溶断することにより、ばね２７が収縮状態から拡張して吸込風路９を遮蔽するように動作する。このダンパー１３の吸込風路９の遮蔽により、火災等が既設の換気扇Ｃと吸引ダクト５２、５３及び排気ダクト５１を通じて家屋へ延焼することを防止することができる。
【００９６】
尚、ダンパー駆動手段Ｇには、ダンパー１３の全開位置を検出するリミットスイッチ等の位置検出手段２９を備えており、電源投入時にダンパー１３が全開位置までリセットされて、その全開位置から動作されるように制御されている。
【００９７】
このようにすれば、ダンパー１３の動作の正確な制御が可能になるとともに、所定時間内にダンパー１３の全開位置を検出しなければ、異常と判断し、運転を停止させたり、異常を報知したりすることができるので、信頼性の高い装置を提供することができる。
【００９８】
尚、既設の換気扇Ｃの瞬間風量を変化させる手段として、制御装置３０からの制御信号を受けて既設の換気扇Ｃへの供給電圧または周波数を可変して、既設の換気扇Ｃの羽根車３の回転数を変化させるようにすることもできる。
【００９９】
また、制御装置３０からの制御信号を受けて既設の換気扇Ｃの換気用モーター２をオン・オフして、所定時間内の総風量を変化させるようにしてもよい。
【０１００】
図６は、換気風量を制御する別の実施例を示す要部の部分断面図であり、上述した実施例と同様の構成は同一の符号にて示し、その説明は省略する。
【０１０１】
この実施例は、吸込風路９の開度を可変して換気風量を制御する機能と、吸込風路９を遮蔽して家屋への延焼を防止する機能とを別構成としたものであり、換気風量の制御は、循環用送風機用ケーシング１２の延出部１２ａに設けた開口１２ｂ部の中心に支軸７４を設け、その支軸７４を中心として揺動する２部材で構成したいわゆるバタフライ式のダンパー７１と、２部材のダンパー７１間に配設した形状記憶合金製ばね７３及び引張りコイルばね７２とにより制御されるように構成されている。
【０１０２】
即ち、形状記憶合金製ばね７３は、正のばね定数を持ち、浴室Ｂ内から排出される空気の温度によりその形状が変化するように構成しているので、乾燥時間の後半において、浴室Ｂ内の空気の排出温度が所定の温度に達すると、引張りコイルばね７２に抗してダンパー７１、７１間を広げるように延びて、吸込風路９の開度を小さくするように動作する。
【０１０３】
したがって、温風循環装置Ｄの運転による浴室Ｂ内への温風の吹出により浴室Ｂ内の温度が高くなる乾燥時間の後半は、吸込風路９の開度を絞って浴室Ｂ内の高温空気の排出を抑えるので、簡単な構造で乾燥効率を向上させることができる。
【０１０４】
尚、引張りコイルばね７２は、乾燥運転が終了して浴室Ｂ内の温度が下がっても、形状記憶合金製ばね７３は延びたままの状態で縮まない性質をもつので、ダンパー７１、７１間を縮めて吸込風路９を元の全開状態に戻す役目を果たす。また、ダンパー７１の構造は、バタフライ式の形態に限らず、片方をヒンジとした蓋構造のものやスライド構造のものとしてもよく、任意である。また、７５は、上述したダンパー１３と同様に、吸込風路９を遮蔽して家屋への延焼を防止する機能としての防火用ダンパーであり、循環用送風機用ケーシング１２の延出部１２ａに固定した支持杆７６により支持されている。
【０１０５】
図７は、既設の換気扇Ｃ用の操作スイッチ６０または操作スイッチ７０により、既設の換気扇Ｃと温風循環装置Ｄを作動させる説明図である。
【０１０６】
操作スイッチ６０または操作スイッチ７０がオンされると、制御装置３０の中央演算処理部８０から強制的に換気扇Ｃの出力制御部８１に運転指令の信号が送られ、換気扇出力制御部８１からの出力により既設の換気扇Ｃが運転を開始する。
【０１０７】
そして、使用者の必要に応じて温風循環装置Ｄの運転のための操作がなされると、制御装置３０の中央演算処理部８０からヒーター１７の出力制御部８２及び循環用モーター１０の出力制御部８３に運転指令の信号が送られ、ヒーター１７の出力制御部８２及び循環用モーター１０の出力制御部８３からの出力により、温風循環装置Ｄのヒーター１７に通電されるとともに循環用モーター１０が作動する。
【０１０８】
このように、操作スイッチ６０または操作スイッチ７０がオンされると、まずは既設の換気扇Ｃを運転させるようにしているので、現場が多室換気である場合、例えばトイレの換気をしようとしても換気ができないといった問題を生じることがなく、使用者の不信感を払拭することができる。
【０１０９】
また、制御装置３０は、換気運転モード、乾燥運転モード、暖房運転モード、涼風運転モード等の複数の運転モード出力部（図示せず）と、運転モードに対応した運転モード表示出力部（図示せず）を有しており、前述した既設の換気扇Ｃ用の操作スイッチ６０または操作スイッチ７０の操作により、各運転モードを切り替えられるようになっている。
【０１１０】
即ち、制御装置３０には、操作スイッチ６０または操作スイッチ７０のオフ操作からオン操作までの時間を検出する検出手段８７と、中央演算処理部８０に備えた前記検出手段８７により検出した時間と予め設定した設定時間（例えば、１秒）とを比較する比較手段（図示せず）とを有しており、その比較手段に基づいて各運転モードを切り替えている。その運転モードの切り替え動作を、図８乃至図１１を用いて説明する。図８乃至図１１は、運転モードの切り替え動作を示す動作フローチャートである。
【０１１１】
図８に示すように、操作スイッチ６０または操作スイッチ７０（以下、操作スイッチ７０で説明する）をオンすると（Ｓ１）、上述したように、まず換気運転を開始する（Ｓ２）とともに換気運転の表示ランプを点灯する（Ｓ３）。尚、各運転モードの表示ランプ（図示せず）は、本体ケース１５の前面部に設けている。
【０１１２】
そして、換気運転継続中に操作スイッチ７０をオフして（Ｓ４）、そのオフから１秒以内に再度オンされると（Ｓ５）、図９に示すように、運転モードが切り替えられ、乾燥運転を開始する（Ｓ６）とともに乾燥運転の表示ランプを点灯する（Ｓ７）。
【０１１３】
そして、操作スイッチ７０をオフして（Ｓ８）、そのオフから１秒以内に再度オンされると（Ｓ９）、図１０に示すように、運転モードが切り替えられ、暖房運転を開始する（Ｓ１０）とともに暖房運転の表示ランプを点灯する（Ｓ１１）。
【０１１４】
そして、操作スイッチ７０をオフして（Ｓ１２）、そのオフから１秒以内に再度オンされると（Ｓ１３）、図１１に示すように、運転モードが切り替えられ、涼風運転を開始する（Ｓ１４）とともに涼風運転の表示ランプを点灯する（Ｓ１５）。
【０１１５】
そして、操作スイッチ７０をオフして（Ｓ１６）、そのオフから１秒以内に再度オンされると（Ｓ１７）、図８に示すように、運転モードが切り替えられ、再度、換気運転を開始する（Ｓ２）とともに換気運転の表示ランプを点灯する（Ｓ３）。
【０１１６】
このように、操作スイッチ７０をオフしてから１秒以内に再度オンされる度に、次の運転モードに順次切り替えることができる。
【０１１７】
また、図８乃至図１１に示すように、操作スイッチ７０をオフしてから１秒以内に再度オンされなかった場合は、そのステップにおける運転は停止する（Ｓ１８〜Ｓ２１）ことになり、図８に示すスタートに戻ることになる。
【０１１８】
また、次の運転モードが、使用者の運転したい運転モードではない場合（例えば、換気運転から乾燥運転ではなく、暖房運転を行いたい場合など）は、操作スイッチ７０のオン操作からオフ操作の間の時間を短くすれば、使用者の希望する運転モードに早く切り替えることができる。
【０１１９】
尚、換気運転の次から始まる運転モードの順序は、上述した実施例に限定されるものではなく、また、換気運転から始まる運転モードの順序のパターンをいくつか設定してシーケンスに組み込み、使用者が希望するパターンを選定できるようにしてもよい。
【０１２０】
上述した構成によれば、制御装置３０に回路を追加するだけで、且つ、既設の操作スイッチ７０のオン・オフ操作を繰り返すだけという簡単な操作で換気・暖房・乾燥等の複数の運転を行うことができる。また、簡単な運転切替えができるので、ワイヤレスリモコン等の操作部を新たに設置する必要がない。
【０１２１】
図１２は、上述した既設の換気扇Ｃ用の操作スイッチ６０、７０に代えて、人体検出手段により、既設の換気扇Ｃと温風循環装置Ｄを作動させる説明図である。
【０１２２】
温風循環装置Ｄには、人体検出手段としての赤外投受光センサ８４を備えており、操作スイッチ６０または操作スイッチ７０をオンして待機状態とし、既設の換気扇Ｃの運転のために赤外投受光センサ８４に手をかざすと、その手の検出信号が制御装置１３０の中央演算処理部１８０に入力されて既設の換気扇Ｃの出力制御部８１に運転指令の信号が送られ、換気扇Ｃの出力制御部８１からの出力により、既設の換気扇Ｃが作動する。温風循環装置Ｄの運転を行う場合も同様に赤外投受光センサ８４に手をかざすと、その手の検出信号が制御装置１３０の中央演算処理部１８０に入力されてヒーター１７の出力制御部８２及び循環用モーター１０の出力制御部８３に運転指令の信号が送られ、ヒーター１７の出力制御部８２及び循環用モーター１０の出力制御部８３からの出力により、温風循環装置Ｄのヒーター１７に通電されるとともに循環用モーター１０が作動する。
【０１２３】
また、赤外投受光センサ８４の検知距離は、検知距離調整部８５により調整可能になっており、使用者が手をかざす動作を行いやすいように、または使用者以外の物体を検知しないように、使用者が検知距離調整操作部８６を操作して自由に検知距離を設定できるようにしている。尚、赤外投受光センサ８４の検知距離は、制御装置１３０に内蔵した可変抵抗器により変更できるようにしてもよく任意である。
【０１２４】
また、制御装置１３０は、上述した実施例と同様に、換気運転モード、乾燥運転モード、暖房運転モード、涼風運転モード等の複数の運転モード出力部（図示せず）と、運転モードに対応した運転モード表示出力部（図示せず）を有しており、赤外投受光センサ８４の検出信号により、各運転モードを切り替えられるようになっている。その運転モードの切り替え動作を、図１３乃至図１７を用いて説明する。図１３乃至図１７は、運転モードの切り替え動作を示す動作フローチャートである。
【０１２５】
図１３に示すように、操作スイッチ６０または操作スイッチ７０をオンした待機状態から、赤外投受光センサ８４に手をかざしてその手を５秒間検知すると（Ｓ１００）、まず換気運転を開始する（Ｓ１０１）とともに換気運転の表示ランプを点灯する（Ｓ１０２）。尚、各運転モードの表示ランプ（図示せず）は、本体ケース１５の前面部に設けている。
【０１２６】
そして、最初の手の５秒間検知（Ｓ１００）から連続して１０秒間の検出信号が入力されると（Ｓ１０３）、手以外の壁や衣類等を誤検知していると判断して強制的に運転を停止させたり、異常を報知する等の処置を行う（Ｓ１０４）。
【０１２７】
ここで、１０秒間継続して検出信号が入力されなければ（Ｓ１０３）、そのまま換気運転を継続して行うが、図１４に示すように、手の検出信号がオフしてそのオフから３秒以内に再度手の検出信号が入力されると（Ｓ１０５）、運転モードが切り替えられ、乾燥運転を開始する（Ｓ１０６）とともに乾燥運転の表示ランプを点灯する（Ｓ１０７）。また、３秒以内に再度手の検出信号が入力されなくても（Ｓ１０５）、５秒間手を検知すれば（Ｓ１０８）、同様に運転モードが切り替えられ、乾燥運転が開始する（Ｓ１０６）とともに乾燥運転の表示ランプが点灯される（Ｓ１０７）。
【０１２８】
そして、手の検知から（Ｓ１０５、Ｓ１０８）１０秒間継続して検出信号が入力されると（Ｓ１０９）、上述したと同様に手以外の壁や衣類等を誤検知していると判断して強制的に運転を停止させたり、異常を報知する等の処置を行う（Ｓ１１０）。
【０１２９】
ここでも、１０秒間継続して検出信号が入力されなければ（Ｓ１０９）、そのまま乾燥運転を継続して行うが、図１５に示すように、手の検出信号がオフしてそのオフから３秒以内に再度手の検出信号が入力されると（Ｓ１１１）、運転モードが切り替えられ、暖房運転を開始する（Ｓ１１２）とともに暖房運転の表示ランプを点灯する（Ｓ１１３）。また、３秒以内に再度手の検出信号が入力されなくても（Ｓ１１１）、５秒間手を検知すれば（Ｓ１１４）、同様に運転モードが切り替えられ、暖房運転が開始する（Ｓ１１２）とともに暖房運転の表示ランプが点灯される（Ｓ１１３）。
【０１３０】
そして、手の検知から（Ｓ１１１、Ｓ１１４）１０秒間継続して検出信号が入力されると（Ｓ１１５）、上述したと同様に手以外の壁や衣類等を誤検知していると判断して強制的に運転を停止させたり、異常を報知する等の処置を行う（Ｓ１１６）。
【０１３１】
ここでも上述したと同様に、１０秒間継続して検出信号が入力されなければ（Ｓ１１５）、そのまま暖房運転を継続して行うが、図１６に示すように、手の検出信号がオフしてそのオフから３秒以内に再度手の検出信号が入力されると（Ｓ１１７）、運転モードが切り替えられ、涼風運転を開始する（Ｓ１１８）とともに涼風運転の表示ランプを点灯する（Ｓ１１９）。また、３秒以内に再度手の検出信号が入力されなくても（Ｓ１１７）、５秒間手を検知すれば（Ｓ１２０）、同様に運転モードが切り替えられ、涼風運転が開始する（Ｓ１１８）とともに涼風運転の表示ランプが点灯される（Ｓ１１９）。
【０１３２】
そして、手の検知から（Ｓ１１７、Ｓ１２０）１０秒間継続して検出信号が入力されると（Ｓ１２１）、上述したと同様に手以外の壁や衣類等を誤検知していると判断して強制的に運転を停止させたり、異常を報知する等の処置を行う（Ｓ１２２）。
【０１３３】
そして、ここでも上述したと同様に、１０秒間継続して検出信号が入力されなければ（Ｓ１２１）、そのまま涼風運転を継続して行うが、図１７に示すように、手の検出信号がオフしてそのオフから３秒以内に再度手の検出信号が入力されると（Ｓ１２３）、その他の運転モードがなければ運転を停止して待機状態とする（Ｓ１２４）とともに全ての運転の表示ランプを消灯する（Ｓ１２５）。また、３秒以内に再度手の検出信号が入力されなくても（Ｓ１２３）、５秒間手を検知すれば（Ｓ１２６）、運転を停止して待機状態とする（Ｓ１２４）とともに全ての運転の表示ランプを消灯する（Ｓ１２５）。
【０１３４】
そして、手の検知から（Ｓ１２３、Ｓ１２６）１０秒間継続して検出信号が入力されると（Ｓ１２７）、手以外の壁や衣類等を誤検知していると判断して異常を報知する等の処置を行う（Ｓ１２８）。
【０１３５】
ここで、１０秒間継続して検出信号が入力されないと（Ｓ１２７）、図１３に示すように、手の検出信号がオフしてそのオフから３秒以内に再度手の検出信号が入力されると（Ｓ１２９）、換気運転を開始する（Ｓ１０１）とともに換気運転の表示ランプを点灯する（Ｓ１０２）という動作フローを繰り返すが、３秒以内に手の検出信号が入力されない場合は（Ｓ１２９）、最初の全ての運転が停止された待機状態に戻る。
【０１３６】
このように、赤外投受光センサ８４に５秒間手をかざすか、または、赤外投受光センサ８４の検知範囲から手を外して３秒以内に再度手をかざす度に、次の運転モードに順次切り替えることができる。
【０１３７】
また、次の運転モードが、使用者の運転したい運転モードではない場合（例えば、換気運転から乾燥運転ではなく、暖房運転を行いたい場合など）は、赤外投受光センサ８４に５秒間手をかざしてからすぐに手を外して３秒以内に再度手をかざすようにすれば、使用者の希望する運転モードに早く切り替えることができる。
【０１３８】
尚、換気運転の次から始まる運転モードの順序は、上述した実施例に限定されるものではなく、また、換気運転から始まる運転モードの順序のパターンをいくつか設定してシーケンスに組み込み、使用者が希望するパターンを選定できるようにすることもできる。
【０１３９】
上述した構成によれば、制御装置１３０に指令を送るためにリモコン等の新たな操作部を設けなくてよく、部品点数が削減できるとともに施工が簡略化でき、且つ、本発明の浴室衣類乾燥装置が天井等の高所に設置される場合であっても、非接触で簡単に換気・暖房・乾燥等の複数の運転を行うことができる。
【０１４０】
図１８は、制御装置の他の制御形態を示す説明図である。
【０１４１】
既設の換気扇Ｃの電路９５には、屋内の他の電気機器が接続されることが十分予想される。したがって、本発明の衣類乾燥装置と同時に前記電気機器が使用されると、屋内分電盤の分岐ブレーカが電気容量の超過により遮断する不具合が生じる。この不具合を回避するために、図１８に示すように、制御装置２３０には、電路の遮断を検出する回路９４と既設の換気扇Ｃ及び温風循環装置Ｄが使用できる所定の許容電力を記憶する記憶部９０とを備えている。尚、記憶部９０は、所定の許容電力の設定を変更可能に構成されている。
【０１４２】
而して、電路の遮断を検出する回路９４により既設の換気扇Ｃ及び温風循環装置Ｄへの電力供給の遮断を検出すると、その遮断時の既設の換気扇Ｃ及び温風循環装置Ｄの許容電力が中央演算処理部２８０から記憶部９０に書き込まれ記憶される。そして、次回の電源復帰時からは、記憶部９０に記憶された許容電力を中央演算処理部２８０に読み込んで、中央演算処理部２８０はその許容電力よりも上記の所定の許容電力を小さく設定する。
【０１４３】
そして、中央演算処理部２８０から、小さく設定された許容電力にて出力するように既設の換気扇Ｃの出力制御部８１、ヒーター１７の出力制御部８２、循環用モーター１０の出力制御部８３に運転指令の信号が送られ、既設の換気扇Ｃの出力制御部８１からの出力により、既設の換気扇Ｃが作動され、また、ヒーター１７の出力制御部８２及び循環用モーター１０の出力制御部８３からの出力により、温風循環装置Ｄのヒーター１７に通電されるとともに循環用モーター１０が作動される。尚、中央演算処理部２８０は、電路の遮断時の許容電力よりも所定の許容電力を小さく設定して記憶部９０に書き込んで記憶させるようにして、次回の電源復帰時からは、その小さく設定されて記憶された許容電力を記憶部９０から中央演算処理部２８０に読み込むようにして、既設の換気扇Ｃ及び温風循環装置Ｄを制御するようにしてもよい。
【０１４４】
また、制御装置２３０には時刻計時部９１を備えており、電路の遮断を検出する回路９４にて電路９５の遮断を検出すると、その遮断時の時間帯またはその時間帯前後の時間帯と許容電力を時刻計時部９１により中央演算処理部２８０から記憶部９０に書き込まれて記憶されるようになっている。そして、次回の電源復帰時からは、記憶部９０に記憶された時間帯と許容電力を中央演算処理部２８０に読み込んで、中央演算処理部２８０はその時間帯において、その許容電力よりも所定の許容電力を小さく設定し、上述したと同様に、既設の換気扇Ｃ及び温風循環装置Ｄを制御するようにすることもできる。尚、遮断時の時間帯またはその時間帯前後の時間帯以外の時間帯においては、大きな許容電力にて出力するようにして既設の換気扇Ｃ及び温風循環装置Ｄを制御するとよい。また、中央演算処理部２８０は、電路の遮断時の許容電力よりも所定の許容電力を小さく設定して記憶部９０に書き込んで記憶させるようにして、次回の電源復帰時からは、その小さく設定されて記憶された許容電力と時間帯を記憶部９０から中央演算処理部２８０に読み込むようにして、既設の換気扇Ｃ及び温風循環装置Ｄを制御するようにしてもよい。
【０１４５】
また、リモコン等の操作部９３を用いて電路９５に接続された他の電気機器が使用される時間帯を任意に設定するようにしてもよく、例えば、１２時から１９時までを電路９５に他の電気機器が使用される時間帯として操作部９３の時刻表示部により設定すると、入出力インターフェイス部９２にその情報が送られ、中央演算処理部２８０から記憶部９０に書き込まれて記憶される。そして、中央演算処理部２８０では、次回からは記憶部９０から読み込まれた時間帯における所定の許容電力を小さく設定して、上述したと同様に、既設の換気扇Ｃ及び温風循環装置Ｄを制御するようにし、その時間帯以外の時間帯においては、大きな許容電力にて出力するようにして既設の換気扇Ｃ及び温風循環装置Ｄを制御するようにする。
【０１４６】
尚、記憶部９０は、電源が遮断しても記憶を保持する不揮発性メモリである。また、電路の遮断を検出する回路９４は、瞬時停電サイクル４０ｍｓｅｃ以内を検出しない回路である。
【０１４７】
また、電路９５の遮断時の時間帯またはその時間帯前後の時間帯や、使用者が任意に設定する時間帯においては、操作部９３で衣類Ｆの乾燥時間が設定されていても、その設定された乾燥時間を自動的に延長させる（例えば、乾燥時間が３時間で設定されていれば、乾燥時間を４時間又は５時間に自動的に延長する）ようにすることもできる。このようにすれば、その時間帯において許容電力を小さく設定しても乾燥時間を自動的に延長するので、衣類Ｆが乾かないという問題を生じることがない。
【０１４８】
更に、温風循環装置Ｄのヒーター１７の許容出力値のみを記憶部９０で記憶し、この許容出力値以下になるように、ヒーター１７の出力を制御するようにしてもよく、このような制御をすれば、簡単で且つ確実な制御が行える。
【０１４９】
図１９は、本発明の浴室衣類乾燥装置の他の実施形態を示す断面図、図２０は、図１９のＹ−Ｙ線断面図であり、上述した実施形態と同様の構成は同一の符号を付し、その説明は省略する。
【０１５０】
図１９及び図２０に示すように、温風循環装置Ｈは、調節部材４１を有する取付部材４２と、羽根車１１と羽根車１１を回転駆動する循環用モーター１０と羽根車１１及び循環用モーター１０を覆うケーシング４５とからなる循環用送風機４６と、ケーシング４５の吹出風路１８に配設したヒーター１７と、浴室Ｂ内の吸い込んだ空気を既設の換気扇Ｃの本体ケース１内に連通させる吸込風路４７と、この吸込風路４７を遮蔽するダンパー装置４８と、各モーター２、１０、ヒーター１７等を制御する制御装置４９と、これら循環用送風機４６、ヒーター１７、吸込風路４７、ダンパー装置４８、制御装置４９を配設したベース板４４と、取付部材４２及びベース板４４を覆うように設けられる枠体５４及び化粧板５５からなる外郭体５６とから構成されている。
【０１５１】
ダンパー装置４８は、ベース板４４に開設した浴室Ｂ内の吸い込んだ空気を既設の換気扇Ｃの本体ケース１内に連通させるための開口４４ａと連通する吸込風路４７を形成する枠体４７ａ内に設けられ、支軸４８ａと、支軸４８ａに設けられて支軸４８ａ周りに回動する２つのダンパー４８ｂ、４８ｂと、支軸４８ａに設けられて２つのダンパー４８ｂ、４８ｂを開いて吸込風路４７を遮蔽するように付勢するスプリング４８ｃ、スプリング４８ｃの付勢に抗して２つのダンパー４８ｂ、４８ｂを吸込風路４７が開放するように重ね合わせて保持するように２つのダンパー４８ｂ、４８ｂの先端部に設けた温度ヒューズ５７とから構成されている。
【０１５２】
また、温度ヒューズ５７は、図２０に示すように、２つの部材５７ａ、５７ａを接合材５７ｂにより接合して構成している。従って、ダンパー装置４８の遮蔽動作は、火災等の熱で温度ヒューズ５７の接合材５７ｂが溶融して２つのダンパー４８ｂ、４８ｂから２つの部材５７ａ、５７ａが左右方向にはずれると、スプリング４８ｃの付勢力により２つのダンパー４８ｂ、４８ｂが開いて吸込風路４７を遮蔽するように動作する。このダンパー装置４８の吸込風路４７の遮蔽により、火災等が既設の換気扇Ｃと吸引ダクト５２、５３及び排気ダクト５１を通じて家屋へ延焼することを防止することができる。
【０１５３】
尚、５８は、メンテナンス時に手指等が温度ヒューズ５７に当たって、温度ヒューズ５７がはずれることにより２つのダンパー４８ｂ、４８ｂが開いてしまうのを防止する網目状の異物侵入防止部材である。
【０１５４】
また、ベース板４４に、本体ケース１のフランジ部１ａに対応する大きさの逆コの字状の切り欠き部６６を設けており、ジョイントボックス６１からの新たな電線６４、６４をフランジ部１ａに開けた新たな挿通孔（図示せず）に挿通させて、この切り欠き部６６を通して制御装置４９に接続するようにしている。更に、電線６４、６４の収まりをよくするため及び既設の換気扇Ｃの駆動時に切り欠き部６６からの空気の吸込を防止して吸込風路４７から効率良く換気させるために、切り欠き部６６に対応させて凹部状のカバー６７を設けるとともに、このカバー６７に電線６４、６４挿通用の切り欠き６７ａを設けて、この切り欠き６７ａを通して電線６４、６４を制御装置４９に接続するようにしてもよい。
【０１５５】
取付部材４２は、図２１に示すように、矩形の枠状に形成しており、取付部材４２の短手方向に２つの調節部材４１、４１を図示において左右方向に移動可能に架け渡している。調節部材４１は、図示において、中心付近から端部にかけて上下に２つの長孔４１ａを開口しており、この長孔４１ａの長手方向にスライドするように座金４３が備えられている。また、取付部材４２の両側面には、目盛り（図示せず）を設けており、ビス６の取付位置に対応する位置に調節部材４１をビス等の固定金具（図示せず）により取付部材４２に固定することができる。尚、４２ａは、ベース板４４を着脱自在に固定するための固定部である。
【０１５６】
外郭体５６を構成する枠体５４は、合成樹脂等の軽い材質で形成しており、取付部材４２及びベース板４４を囲うようにしてベース板４４に対して取付けるようになっている。即ち、図２２に示すように、枠体５４の対向する内側壁側の４個所に取付座６８を形成しており、取付座６８は、水平壁部６８ａと、水平壁部６８ａ周りから上方に延出させた延出壁部６８ｂとから構成し、水平壁部６８ａには雌ねじ部６８ｃを設けている。
【０１５７】
一方、ベース板４４には、取付座６８と対応する位置にＵ字状の固定座６９を設けており、固定座６９には、雌ねじ部６８ｃと対応する位置に雌ねじ部６９ａを設けている。従って、ビス等の固定具７７により、その雄ねじ部７７ａを取付座６８の雌ねじ部６８ｃと固定座６９の雌ねじ部６９ａに対してねじ込むことで、枠体５４がベース板４４に対して固定される。この時、取付座６８の雌ねじ部６８ｃと固定座６９の雌ねじ部６９ａとは十分な間隔を空けているので、枠体５４が天井５０に突き当たるまで、枠体５４の取付座６８をベース板４４の固定座６９に対して固定具７７によりねじ込んでいくことができる。従って、既設の換気扇Ｃのフランジ部１ａの厚みがばらついていても、天井５０と枠体５４とに隙間を生じさせることなく枠体５４をベース板４４に対して取付けることができる。尚、取付座６８の延出壁部６８ｂは、枠体５４をベース板４４に固定する際の補強部として機能するものであり、取付座６８の水平壁部６８ａに十分な強度を持たせれば必ずしも設ける必要はない。
【０１５８】
また、枠体５４の取付座６８を設けている内側壁以外の対向する内側壁側には、図２３に示すように、突起部７８を４個所設けており、この突起部７８と対応するベース板４４の位置に、開口７９ａを設けた保持部７９を立設させている。従って、枠体５４をベース板４４に固定する際に、保持部７９の開口７９ａに枠体５４の突起部７８を係合させることで、施工者が手を離しても枠体５４が落下することなくベース板４４に保持されるので、枠体５４のベース板４４への取付作業を容易に行うことができる。尚、８８ａは、枠体５４の内周壁に複数設けた補強リブ８８を兼用したガイド部であり、枠体５４の突起部７８を保持部７９の開口７９ａに係合させる際の目安として、また、保持部７９の両側部のガイドとして機能するので、容易に開口７９ａに突起部７８を係合させることができる。
【０１５９】
また、枠体５４には、ワイヤレスリモコン８９からの操作信号を受信する受信部９６が設けられており、受信部９６からの配線９６ａがコネクタ（図示せず）を介して制御装置４９に接続されている。一方、ワイヤレスリモコン８９には、換気、乾燥、暖房、涼風等の各スイッチ（図示せず）が設けられており、換気スイッチを操作すれば、既設の換気扇Ｃが駆動して換気運転が行われ、乾燥スイッチを操作すれば、温風循環装置Ｈの循環用モーター１０が駆動するとともにヒーター１７に通電して浴室Ｂ内に温風を供給するとともに既設の換気扇Ｃが駆動して浴室Ｂ内に干された衣類Ｆ等の洗濯物の乾燥運転が行われ、暖房スイッチを操作すれば、温風循環装置Ｈの循環用モーター１０が駆動するとともにヒーター１７に通電して浴室Ｂの暖房運転が行われ、涼風スイッチを操作すれば、温風循環装置Ａのヒーター９は通電せずに循環用モーター１０と既設の換気扇Ｃが駆動して涼風運転が行われる。
【０１６０】
外郭体５６を構成する化粧板５５は、枠体５４と同様に合成樹脂等の軽い材質で形成しており、枠体５４に被せるようにしてベース板４４に対して取付けるようになっている。即ち、図２４に示すように、ベース板４４側の左右方向の２個所に設けた支持部材５９の長孔５９ａに、化粧板５５に支持部５５ａを介して設けた２股状のスプリング６５を挿通して係支させることで、スプリング６５の付勢力により化粧板５５をベース板４４側に取付けることができる。
【０１６１】
また、化粧板５５には、枠体５４に設けた受信部９６の外郭が挿入される大きさの窓部５５ｂを開設するとともに、内周壁にストッパー部を兼用する複数の補強リブ５５ｃを設けており、この補強リブ５５ｃの先端部５５ｄが、化粧板５５をスプリング６５によりベース板４４に対して取付けたときに枠体５４の端面部５４ａに突き当たり、化粧板５５が枠体５４に対して常に一定に位置決めされる。従って、枠体５４に設けた受信部９６と化粧板５５との位置関係も常に一定であるため、ベース板４４側に受信部９６を設けた場合のように、フランジ部１ａの厚みのばらつきにより受信部９６と化粧板５５との位置がずれることで、ワイヤレスリモコン８９からの操作信号を受信部９６のセンサー部９６ｂが受信することができないという問題を生じることがない。
【０１６２】
また、図２５に示すように、吹出風路１８に連通する化粧板５５の収納部５５ｅに、吹出口２０ｃが着脱自在に収納されており、風向案内板９７が吹出口２０ｃの中心部から径方向にかけて、空気の流れが徐々に外側へ向かうように吹出口２０ｃに配設している。
【０１６３】
吹出口２０ｃは、略円筒形に形成しており、図２６に示すように、吹出口２０ｃの外周に爪部９８を形成しており、この爪部９８を、図２７に示すように、化粧板５５の収納部５５ｅに設けたＬ状のフック部９９に係合させることにより、吹出口２０ｃを化粧板５５の収納部５５ｅに保持させている。また、爪部９８とフック部９９は、９０°置きに４個所づつ設けている。従って、吊るされた衣類Ｆの位置によって、吹出口２０ｃを一旦取り外して９０°向きを変えて再度取付けることにより、図２５において、温風が左右方向に吹き出されていたのが、今度は温風が前後方向に吹き出すようになるので、温風循環装置Ｈの設置後であっても衣類Ｆに対する適切な温風の吹出方向を選択することができ、乾燥効率を向上させることができる。
【０１６４】
以上の構成において、既設の換気扇Ｃへの温風循環装置Ｈの取付方法について、以下に詳述する。
【０１６５】
天井５０への温風循環装置Ｈの取付けは、まず、既設の換気扇Ｃに取付けられている化粧板（図示せず）を取り外して、本体ケース１に一体形成されているフランジ部１ａを、浴室Ｂ側から天井５０と補強のための補強木７に対して固定しているビス６の左右方向の取付位置を測定し、その測定寸法に応じた取付部材４２の目盛りに調節部材４１を合せて、ビス等の固定金具により取付部材４２に対して調節部材４１を固定する。そして、ビス６の１個所を取り外し、取り外した後のビス６穴を利用して、温風循環装置Ｈの調節部材４１を取付部材４２、フランジ部１ａ、天井５０、補強木７とともに、座金４３を介してビス６若しくは新たなビス等により、仮固定する。
【０１６６】
このようにして、順次、ビス６を取り外しながら取付部材４２を仮固定していくが、この時、既設の換気扇Ｃのフランジ部１ａが大きかったりしてビス６穴位置が異なっていても、図２１に示すように、調節部材４１に設けた長孔４１ａの上下方向の範囲内、取付部材４２に対する調節部材４１の左右方向の範囲内において対応することができ、取付部材４２を仮固定することができる。
【０１６７】
そして、仮固定が全部終了した時点で、本固定を行い、取付部材４２の固定部４２ａに対して温風循環装置Ｈのベース板４４を取付け、ベース板４４に対して取付部材４２及びベース板４４を囲うように枠体５４を天井５０に突き当たるまでねじ込んで取付ける。そして、外郭体５６を、枠体５４に被せるようにしてベース板４４に対して取付け、既設の換気扇Ｃへの温風循環装置Ｈの取付けが完了する。
【０１６８】
上述した内容はあくまで本発明の一実施形態に関するものであって、本発明が上記内容のみに限定されることを意味されるものでない。例えば、図８乃至図１１及び図１３乃至図１７に示す動作フローチャートにおいて設定された時間は、適宜変更されるものであることは言うまでもない。
【０１６９】
また、脱衣所Ｅに設けられている既設の操作スイッチ６０またはトイレ側に設けられているトイレ用の既設の操作スイッチ７０には、浴室衣類乾燥装置Ａの運転中を使用者にお知らせする運転中ランプを備えるようにしてもよい。このようにすれば、使用者が誤って操作スイッチ６０、７０をオフして、例えば、衣類Ｆの乾燥運転を停止させるという不具合を生じることがなくなる。
【０１７０】
更に、温風循環装置Ｄ、Ｈを既設の換気扇Ｃに後付け可能に設けるように説明したが、これに限らず、温風循環装置Ｄ、Ｈを浴室Ｂ内に据え置きするようにして、既設の換気扇Ｃとは独立して設けるようにしてもよい。
【図面の簡単な説明】
【図１】本発明の一実施形態に係る浴室衣類乾燥装置の設置例を示す全体構成図である。
【図２】本発明の一実施形態に係る浴室衣類乾燥装置の断面図である。
【図３】図２のＸ−Ｘ線断面図である。
【図４】吹出位置変更手段の変形例を示す部分断面図である。
【図５】吹出位置変更手段の他の変形例を示す部分断面図であり、（Ａ）は吹出口を収納させた状態を示す部分断面図、（Ｂ）は吹出口を引き出した状態を示す部分断面図である。
【図６】ダンパーにより換気風量を制御する別の実施例を示す要部の部分断面図である。
【図７】既設の操作スイッチにより、既設の換気扇と温風循環装置を作動させる説明図である。
【図８】既設の操作スイッチにより、運転モードを切り替える動作フローチャートである。
【図９】既設の操作スイッチにより、運転モードを切り替える動作フローチャートである。
【図１０】既設の操作スイッチにより、運転モードを切り替える動作フローチャートである。
【図１１】既設の操作スイッチにより、運転モードを切り替える動作フローチャートである。
【図１２】人体検出手段を用いて、既設の換気扇と温風循環装置を作動させる説明図である。
【図１３】人体検出手段を用いて、運転モードを切り替える動作フローチャートである。
【図１４】人体検出手段を用いて、運転モードを切り替える動作フローチャートである。
【図１５】人体検出手段を用いて、運転モードを切り替える動作フローチャートである。
【図１６】人体検出手段を用いて、運転モードを切り替える動作フローチャートである。
【図１７】人体検出手段を用いて、運転モードを切り替える動作フローチャートである。
【図１８】制御装置の他の制御形態を示す説明図である。
【図１９】本発明の浴室衣類乾燥装置の他の実施形態を示す断面図である。
【図２０】図１９のＹ−Ｙ線断面図である。
【図２１】取付部材を示す平面図である。
【図２２】枠体のベース板への取付状態を示す部分断面図である。
【図２３】枠体のベース板に対する保持状態を示す部分断面図である。
【図２４】化粧板のベース板への取付状態を示す部分断面図である。
【図２５】吹出位置変更手段の更に他の変形例を示す部分断面図である。
【図２６】吹出口を示す側面図である。
【図２７】化粧板の吹出口の収納部を示す部分断面図である。
【符号の説明】
Ａ…浴室衣類乾燥装置
Ｂ…浴室
Ｃ…既設の換気扇
Ｄ、Ｈ…温風循環装置
Ｅ…脱衣所
Ｆ…衣類
Ｇ…ダンパー駆動手段
１…既設の換気扇の本体ケース
１ａ…フランジ部
２…換気用モーター
３…既設の換気扇の羽根車
６…ビス
６ａ…ビス取付穴
８…取付基板
９…吸込風路
１０…循環用モーター
１１…羽根車
１２…循環用送風機用ケーシング
１３…ダンパー
１４…吸込口
１５…温風循環装置の本体ケース
１６…風向案内板
１７…ヒーター（加熱手段）
１８…吹出風路
２０、２０Ａ、２０Ｂ、２０Ｃ…吹出口
３０、４９、１３０、２３０…制御装置
４１…調節部材
４２…取付部材
４４…ベース板
４６…循環用送風機
５０…天井
５４…枠体
５５…化粧板
５５ｃ…補強リブ（ストッパー部）
５６…外郭体
６０、７０…既設の操作スイッチ
６１…ジョイントボックス
６８…取付座（進退調整手段）
６９…固定座（進退調整手段）
７１…ダンパー
７２…引張りコイルばね
７３…形状記憶合金製ばね
７５…防火用ダンパー
７７…固定具（進退調整手段）
７８…突起部（保持手段）
７９…保持部（保持手段）
８０、１８０、２８０…中央演算処理部
８１…既設の換気扇の出力制御部
８２…ヒーターの出力制御部
８３…循環用モーターの出力制御部
８４…赤外投受光センサ
８５…検知距離調整部
８６…検知距離調整操作部
８８…補強リブ
８８ａ…ガイド部
８９…ワイヤレスリモコン
９０…記憶部
９１…時刻計時部
９２…入出力インターフェイス部
９３…操作部
９４…電路の遮断を検出する回路
９５…電路
９６…受信部
【図１】
0004352440.tif 000002
【図２】
0004352440.tif 000003
【図３】
0004352440.tif 000004
【図４】
0004352440.tif 000005
【図５】
0004352440.tif 000006
【図６】
0004352440.tif 000007
【図７】
0004352440.tif 000008
【図８】
0004352440.tif 000009
【図９】
0004352440.tif 000010
【図１０】
0004352440.tif 000011
【図１１】
0004352440.tif 000012
【図１２】
0004352440.tif 000013
【図１３】
0004352440.tif 000014
【図１４】
0004352440.tif 000015
【図１５】
0004352440.tif 000016
【図１６】
0004352440.tif 000017
【図１７】
0004352440.tif 000018
【図１８】
0004352440.tif 000019
【図１９】
0004352440.tif 000020
【図２０】
0004352440.tif 000021
【図２１】
0004352440.tif 000022
【図２２】
0004352440.tif 000023
【図２３】
0004352440.tif 000024
【図２４】
0004352440.tif 000025
【図２５】
0004352440.tif 000026
【図２６】
0004352440.tif 000027
【図２７】
0004352440.tif 000028